Podtech/llm-jp-corpus-v4-ja_patent huggingface dataset:
(57)【要約】      （修正有） 【課題】  粗面における干渉縞のコントラスト、測定効率を改善するものである。【解決手段】  不透明な試料の表裏面の平行度を同時に平面度を測定するために、両面に干渉計を設置し、プリズムを用いて試料への入射角を大きくした。平行度及び平面度の計算方法は、試料をプリズムの底面に垂直な方向に一定の距離で動かし、干渉縞の変化を画像処理し、表裏それぞれの面について位相シフト法により計算する。本発明では、様々なサイズや表面粗さを持つ不透明な試料に対応可能ということと、表裏面同時計測による測定時間の短縮が可能である。斜入射にすることで粗面における干渉縞のコントラストを良くし、かつ、斜入射干渉計を表裏それぞれに設置することで、不透明な粗面試料の平行度及び平面度測定を同時に秒単位で行うことが可能である。【選択図】  図１
2006023263.tif 000002
【特許請求の範囲】
【請求項１】
コヒーレントな光源部１及び光源部２からの光束を、不透明な試料に対し斜入射させる。試料への入射光路及び、試料からの反射光路上に図１のようにプリズム１及びプリズム２を配置する。このとき、プリズム１及びプリズム２の底面とサンプルの表裏面（プリズム１及びプリズム２に面している面）がおおよそ平行になるようにする。プリズムから出てきた反射光を試料の表裏面と平行に設置されたスクリーン１及びスクリーン２に映し、これをカメラ１及びカメラ２で撮影する。試料の表裏面と、プリズム１及びプリズム２の底面からの反射光の干渉縞をカメラで撮影し、画像解析して試料の表裏面の平行度及び平面度を測定する斜入射平行度、平面度測定用干渉計である。
本発明の目的は、不透明な粗面を持つ試料の表裏面の平行度と平面度を非接触で短時間に測定するためである。不透明な試料の表裏面の平行度を測定するだけならば、明細書に表記した特許文献２のようにすれば良いが、同時に平面度を測定するために両面に干渉計を設置し、なおかつ粗面の測定を可能にするために試料への入射角を大きくした。単に入射角を大きくすると、試料に対して装置が非常に大きくなる。オプチカルフラットに代えて、プリズムを設置することで、装置を小型化できるのは既知であるので、本発明においてはプリズムを設置した。
平行度及び平面度の計算方法は、試料をプリズムの底面に垂直な方向に一定の距離で例えば８回動かし、干渉縞の変化を画像処理し、表裏それぞれの面について位相シフト法により計算する。
【発明の詳細な説明】
【技術分野】
【０００１】  本発明は、不透明な粗面試料の平行度及び平面度測定を同時にすばやく行うための斜入射干渉計装置である。
【背景技術】
【０００２】  従来の斜入射干渉計には、平面度測定のためにプリズムを配置したものがある（例えば、特許文献１参照。）。また不透明体表裏面の平行度測定について述べられたものがある（例えば、特許文献２参照。）。
【特許文献１】特開平１−６５４０６号公報（第５頁、第５図）
【特許文献２】特開平１−１４３９０６号公報
【発明の開示】
【発明が解決しようとする課題】
【０００３】  試料の平行度及び平面度を測定するために、従来は、垂直入射を用いていた。垂直入射だと、粗面における干渉縞のコントラストが悪い。また、不透明な試料の場合、平行度の測定において、表と裏を個別に行うか、垂直入射で行っていた。従って、測定効率が悪かったのを改善しようとするものである。
【課題を解決するための手段及び発明の効果】
【０００４】  本発明の最大の利点は、様々なサイズや表面粗さを持つ不透明な試料に対応可能ということと、表裏面同時計測による測定時間の短縮ができたことである。斜入射にすることで粗面における干渉縞のコントラストを良くし、かつ、斜入射干渉計を表裏それぞれに設置することで、不透明な粗面試料の平行度及び平面度測定を同時に秒単位で行うようにするものである。また、試料の表側と裏側の干渉計を別々にすることで、様々な厚みの試料に対応でき、大きな試料に対しては、試料を動かすスペースを自由にとれるので、試料を動かすことで対応できるようにするものである。
【発明を実施するための最良の形態】
【０００５】  予想される表面粗さの最大値から試料への入射角を決め、干渉縞のコントラストを定める。それに応じてプリズム等の光学素子を配置し図１のように２つの干渉計を用意する。試料の位置にオプチカルフラットを配置し、２つの干渉計内のプリズムの底面が平行になるようにする。このとき、試料の厚みにあわせて２つのプリズムの底面間の距離を試料の厚みより０．２〜０．３ｍｍ程度厚く設置する。試料とプリズムの底面の距離を短くすることでプリズムを小型化でき、省スペースかつ経済的である。
【図面の簡単な説明】
【０００６】
【図１】本発明の不透明な粗面試料の斜入射干渉測定による平行度、平面度の同時測定を実施するための最良の形態の正面図である。
【符号の説明】
【０００７】１  カメラ１
２  スクリーン１
３  スクリーン２
４  カメラ２
５  プリズム１
６  プリズム２
７  光源部１
８  光源部２
【図１】
2006023263.tif 000003
(57)【要約】      （修正有）【課題】電話機やオフィス機器の表示面のクリーナーとしても使用できるメモ用紙等の貼り付け機能体を提供する。【解決手段】基材シート３の裏面に粘着層９が付設された貼り付け機能体１において、その一部に機器表示面のクリーナー部５を備えたもの。【選択図】  図１
2006023690.tif 000002
【特許請求の範囲】
【請求項１】
粘着貼り付け面を備える貼り付け機能体において、その一部に機器表示面のクリーナー部を備えたことを特徴とする貼り付け機能体。
【発明の詳細な説明】
【技術分野】
【０００１】  この発明は、家庭、オフィス等で使用されるメモ用紙等の貼り付け機能体に関する。
【背景技術】
【０００２】  職場における電話の際にはメモを取ることがよくあり、そのメモ用紙は目に付きやすいように使用するデスク近辺に貼り付けることが多い。そして、最近では、その貼り付けのため専用の貼り付け用片が用いられるようになっている。この貼り付け用片は裏面側が粘着面となっており、その粘着面で機器やデスク面にメモ用紙の周縁部を押さえ付けるようして貼り付け使用される。
【発明の開示】
【発明が解決しようとする課題】
【０００３】  この発明では、上記の貼り付け用片をより便利に使用できるようし、電話機やオフィス機器の表示面のクリーナーとしても使用できる貼り付け機能体を提供することを目的とする。
【課題を解決するための手段】
【０００４】  この発明では、粘着貼り付け面を備える貼り付け機能体において、その一部に機器表示面のクリーナー部を備えた構成とする。【０００５】  上記構成によれば、粘着貼り付け面側でメモ用紙等の貼り付けが行なえ、貼り付けを外した状態においてクリーナ部により機器の表示面を拭くことができる。
【発明の効果】
【０００６】  この発明によれば、電話機やオフィス機器の表示面がその近傍で使用される貼り付け機能体により拭くことができ、別途テッシュペーパー等を用いて拭くことが回避でき、非常に無駄がなく、便利となる。
【発明を実施するための最良の形態】
【０００７】  図１はこの発明の貼り付け機能体の第１の実施形態の表面側斜視図、図２は断面図である。【０００８】  貼り付け機能体１において、３は樹脂製の基材シートであり、その表面に不織布よりなるクリーナー部５が付設され、そのクリーナー部５面にはデザイン模様７がプレス印刷により設けられている。基材３シートの裏面は粘着層９が付設されて貼り付け面８とされている。【０００９】  貼り付け機能体１は、電話機やオフィス機器面に貼り付け面８側がメモ用紙等をその間に挟むようにして貼り付け使用される。上記のように貼り付け使用されない場合にも貼り付け機能体１は電話機やオフィス機器面に貼り付け保持され、その際適宜取り外されてそのクリーナー部５が電話機やオフィス機器の表示面を拭くように用いられる。【００１０】  図３はこの発明の貼り付け機能体の第２の実施形態の表面側斜視図、図４は断面図である。【００１１】  この実施形態のものでは、第１の実施形態のものにおいてその表面に樹脂製のカバー１３を設けている。カバー１３はその上部１５のみにおいて基材シート３側に一体に固着されており、矢印方向に開くことができ、その開いた状態においてクリーナー部５が使用できるようになっている。このようにカバー１３が設けられたことで、クリーナー部５が保護され、これにより、クリーナー部５の汚れや損傷が防止される。
【図面の簡単な説明】
【図１】  この発明の貼り付け機能体の第１の実施形態の表面側斜視図
【図２】  この発明の貼り付け機能体の第１の実施形態の断面図
【図３】  この発明の貼り付け機能体の第２の実施形態の表面側斜視図
【図４】  この発明の貼り付け機能体の第２の実施形態の断面図
【符号の説明】
１  貼り付け機能体
５  クリーナー部
８  貼り付け面
【図１】
2006023690.tif 000003
【図２】
2006023690.tif 000004
【図３】
2006023690.tif 000005
【図４】
2006023690.tif 000006
(57)【要約】【課題】補聴器がきかない難聴者であるが、喋ることと文字認識ができる人向けに、誰でも簡単に使いこなせる専用の可搬式同時音声・文字変換装置を開発し、難聴者が話し相手と直接及び電話で会話できるようにする。【解決手段】難聴者側は、相手のしゃべつた音声を文字変換・表示する装置（会話君）で変換文字を見ながら直接または電話で相手と会話する。その装置の概要は、相手のしゃべつた音声を文字変換・表示する機能をもち、可搬できるコンパクトな装置とする。装置には集音するためのマイクを内蔵する、さらに音声入力するため電話機（含む携帯電話機）に接続するための接続端子も設ける。文字表示は文字拡大できるものとする。音声文字変換ソフトは日常会話に特化した認識率を高めたソフトを用いる。その使用イメージが図１である。【選択図】  図１
2006023687.tif 000002
【特許請求の範囲】
【請求項１】
相手が直接及び電話でしゃべった音声が文字変換され文字表示されるコンパクトで可搬できる補聴器もきかない難聴者用装置を請求項１とする。その内容は明細書の０００４による。
【発明の詳細な説明】
【技術分野】
【０００１】本発明は、難聴者向けの福祉機器の分野である。
【背景技術】
【０００２】聴覚障害向けには補聴器がある、しかし補聴器もきかない人向けの福祉機器は市販されていない。現状では補聴器もきかない人向けには会話相手が手書きで文字を書き伝える方法をとらざるをえない状態である。もし相手が喋った音声が同時か数秒後に文字に変換されて表示される機器があれば難聴者はもちろん話相手（健常者）の負担も軽減されるのと、更にその機器が電話と接続する機能を持てば今まで不可能だった電話による連係が行えることになる。その機器を構成するハード（マイクロコンピューター及びＰＤＡ・電話機・マイク）及びソフト（音声入力／文字表示ソフト）は既に近いものが市販されているが、ずばりのものは無いのが現状である。それら機器とソフトを活用してもできるが、それにはマイクロコンピューターを使いなれた人ならば可能であるが、誰でも簡単には使いこなせないのが現実である。
【発明が解決しようとする課題】
【０００３】補聴器がきかない難聴者であるが、喋ることと文字認識ができる人向けに、誰でも簡単に使いこなせる専用の可搬式同時音声・文字変換装置を開発し、難聴者が話し相手と直接及び電話で会話できるようにする。
【課題を解決するための手段】
【０００４】難聴者側は、相手のしゃべつた音声を文字変換・表示する装置（会話君）で変換文字を見ながら直接または電話で相手と会話する。その装置の概要は、相手のしゃべつた音声を文字変換・表示する機能をもち、可搬できるコンパクトな装置とする。装置には集音するためのマイクを内蔵する、さらに音声入力するため電話機（含む携帯電話機）に接続するための接続端子も設ける。文字表示は文字拡大できるものとする。音声文字変換ソフトは日常会話に特化した認識率を高めたソフトを用いる。
【発明の効果】
【０００５】補聴器もきかない難聴者本人と対話者の利便性（コミニュケーション）が格段に良くなる。
【発明を実施するための最良の形態】
【０００６】相手のしゃべつた音声を文字変換・表示する機能をもち、可搬できるコンパクトな本装置（会話君）と既存の電話機（含む携帯電話機）を音声入力端子で接続して、電話機から入力された音声を瞬時に文字変換・表示する、その文字を難聴者が見ながら電話連係を行う。また、直接面談する時は会話君に内蔵した集音マイクからの音声入力を文字変換する方法での利用形態を提供する。
【実施例１】
【０００７】会話君の利用イメージを図１に示す。
会話君は縦７ｃｍ、幅１０ｃｍ程度のコンパクトな装置とする。表示画面は可能な限り大きくする。文字表示は拡大・縮小可能とする。音声入力用の集音マイクは内蔵する。さらに音声入力するため電話機（含む携帯電話機）に接続するための接続端子も設ける。内蔵する音声文字変換ソフト（音声エンジン）は日常会話に特化した認識率を高めたソフトを開発して組み込む。操作は電源のＯＮ・ＯＦＦと文字の拡大・縮小を行う２個の操作ボタンだけとする。
【実施例２】
【０００８】電源は充電式のＤＣ乾電池電源を用いる、その充電は充電端子を装備して行う。携帯時の使用時間を長く確保するために、全く使用しないときは本人が電源操作ボタンをＯＦＦにする。使うときは本人が電源をＯＮにする。更に電源がＯＮ状態でも相手が喋らないときは自動的に電源を使わない状態に切り替わる。そして音声感知したときは電源ＯＮ状態に自動的で切り替わり音声エンジンが機能する。その電源自動切換のＶＯＸ回路のフローは図２に示す。
【産業上の利用可能性】
【０００９】福祉機器の分野での利用が期待できる。
【図面の簡単な説明】
【０００１０】
【図１】会話君の利用イメージ
【図２】電源自動切換のＶＯＸ回路のフロー
【図１】
2006023687.tif 000003
【図２】
2006023687.tif 000004
(57)【要約】【課題】  本発明は、言葉を文字に、図を図の小片に分解して表示したものを、再び組み合わせ元の言葉や図に戻す過程の面白さを引き出せるように工夫した文房具を提供する。【解決手段】  言葉を文字に、図を図の小片に分解して２枚以上の透明なカードに表示し、この透明なカードを重ね上から透かして見ることで元の言葉や図を読み取る構成よりなる文房具である。【選択図】図１
2006023691.tif 000002
【特許請求の範囲】
【請求項１】
言葉を文字に、図を図の小片に分解して２枚以上の透明なカードに表示し、この透明なカードを重ね上から透かして見ることで元の言葉や図を読み取る構成よりなる文房具。
【発明の詳細な説明】
【技術分野】
【０００１】  本発明は、言葉を文字に、図を図の小片に分解して表示したものを、再び組み合わせ元の言葉や図に戻す過程の面白さを引き出せるように工夫した文房具を提供する。
【背景技術】
【０００２】  従来、言葉を文字に、図を図の小片に分解して表示したものを、再び組み合わせ元の言葉や図に戻す過程の面白さを引き出す時、ジクソーパズルのように言葉や図の表示されたものを切り離して小片に分解後、再び小片を組み合わせ元の言葉や図に戻していた。
また、これとは別にカードに片かなや平仮名などの個々の１文字を表示したものを組み合わせ並べて置くことで文字が連なり言葉としていた。
【発明の開示】
【発明が解決しようとする課題】
【０００３】  そのために、次のような問題点があった。
言葉や図の表示されたものを切り離して分解した小片は散らばることで紛失することが起き易かった。
また、カードに片かなや平仮名などの１文字を表示したものを組み合わせ並べて置き言葉とする時、並べて置いたカードは接触や風によって位置がずれることが起き易かった。
本発明は、これらの問題点を解決するためになされたものである。
【課題を解決するための手段】
【０００４】  言葉を文字に、図を図の小片に分解して２枚以上の透明なカードに表示し、この透明なカードを重ね上から透かして見ることで元の言葉や図を読み取る構成よりなる文房具である。
【発明の効果】
【０００５】  ２枚以上の透明なカードに言葉や図を分解して表示し、透明なカードを重ねることで元の言葉や図をカードの上から透かして読み取る構成によって、物理的に切り離すことで起きる紛失を防止できる。
カードを手に持ち整えることで組み合わせた文字や図の表示位置がずれるのを防止する効果が得られる。
言葉を文字に、図を図の小片に分解して表示したものを、再び組み合わせ元の言葉や図に戻す過程の面白さを引き出せるよう工夫した文房具が期待できる。
【発明を実施するための最良の形態】
【０００６】  以下、本発明の実施の形態について図１から図４を用いて説明する。
図１は本発明のカード１枚の平面図、図２本発明のカードを重ね上にずらした平面図、図３は本発明の重ねた４枚カードを上から透かして見た平面図、図４は本発明の４言葉、４文字数としたカードの組み合わせを説明した説明図である。
（イ）使用するカードが何角形かによって各辺に配置する言葉の数が決まるが、図１に示すように４角形の例では４角形の各辺に配置する言葉の数は４となる。
（ロ）４角形の透明なカード（１）は、透明な薄いプラスチック、例えばポリエチレンテレフタレート（ＰＥＴ）樹脂で作成し、４角形の各辺に沿って言葉の文字数の枠（２）を表示する。
例として言葉の文字数４文字数なら各辺を６等分し中央の枠４枠を使用し表示する。
この例では、わかり易くするため４角の枠を使用していない。
（ハ）図１、図２に示すように４文字数で４枠なら４枚重ねた時に言葉となるよう個々の文字が重なることがないように各カードの枠に文字の下側を４角形の中心部に向けて４文字数の言葉を分解した個々の１文字（３）を表示する。
（ニ）各カードへの表示の方法として、図４の説明図に示すように言葉の中の文字は、元々の位置と位置を右に１文字ずつ移動した計４パターンとして表示し、図１に１６枚中の１枚の例として図４の説明図のＮｏ．１カードの「ライオン」の「ラ」、「シロクマ」の「シ」、「シマウマ」の「シ」、「アリクイ」の「ア」を表示した例を示す。
わかり易くするためＮｏ．１カードに言葉の最初の１文字目を配置した。
図４の説明図、縦の列に示すように重ねた４枚カードを上から透かして見た時、文字並べの最初の段階では、４文字の各枠には「ライオン」の「ラ」から「ン」までの全ての文字を持ってくることができるようになる。
また、同様にカードを回転することで「ライオン」以外の３言葉、例えば「シロクマ」「シマウマ」「アリクイ」の言葉の文字も全ての枠に持ってくることができるようになる。
文字並べが進み４文字の各枠に文字を確定するに従い、残りの枠に当てはまる文字は残った文字に制限されることになる。
最低必要なカードの枚数は言葉の数４掛ける４パターンの１６枚となるが、他に面白くする工夫として不要な何枚かを加えることも可能である。
（ホ）４角形の透明なカードの中央には、必要な枚数、例えば４枚重ねた時に意味のある図（４）となるように４枚のカードに図を分解して表示する。
言葉と図の組み合わせは別々の面白さを引き出すもので、言葉と図の組み合わせの両方が完成するかどちらか一方が完成するように分解して表示する。
図１に示すように、１６枚中の１枚の例としてはハートマークを４分割した図を示する。他の１２枚のカードには別の３種類の図を４分割した図をハートマークの例と同様に表示する。
（ヘ）図３に示すように言葉となる枚数のカードを集め、カードの回転により４辺にあるの文字の入れ替えを行ってカードを重ね（５）上から透かして見て元の言葉や図を完成させる。
図３に示す例として、１６枚中の４枚を重ね上から透かして見て元の言葉の「ライオン」、「シロクマ」、「シマウマ」、「アリクイ」と図の「ハートマーク」が完成する。本発明は以上の構成で、これを使用する時は、４言葉１６枚中の１組だけではなく数組を混ぜ、面白くなるような言葉と言葉の文字数及び図を選び、組み合わせを考え数人で行い、当初選んだ言葉以外の予定外の言葉や逆さ読みで言葉となる組み合わせも工夫する。
【図面の簡単な説明】
【０００７】
【図１】本発明のカード１枚の平面図
【図２】本発明のカードを重ね上にずらした平面図
【図３】本発明の重ねたカードを上から透かして見た平面図
【図４】本発明の４言葉、４文字数としたカードの組み合わせを説明した説明図
【符号の説明】
【０００８】１  ４角形の透明なカード
２  文字数の枠
３  文字
４  図
５  重ねた透明カード
【図１】
2006023691.tif 000003
【図２】
2006023691.tif 000004
【図３】
2006023691.tif 000005
【図４】
2006023691.tif 000006
(57)【要約】 【課題】夜間等見通しの良くない交差点、特に狭いＴ字路や十字路の交差点に於いて、左方向から来て交差点内に進入し左折や直進をしかけて停車している自動車等は、自動車の一部が交差点内に進入し又は居残っていても、自車からはヘッドライトもテ−ルライトも見えず方向指示器も見る事が出来ないため等、認知が遅れる事によって起きる事故を防ぐ。 【解決手段】夜間交差点等にて如何なる体勢で自動車が停車していても、自動車の側面に、発光体又は反射体で作製された光るライン２を設ける事により、この課題を解決する。 【選択図】図１
2006264598.tif 000002
【特許請求の範囲】
【請求項１】
自動車の側面に光るライン（ライン状の発光体又は反射体）を設けたことを特徴とする自動車。 
【請求項２】
自動車の側面に取り付けることを特徴とする請求項１記載の部品である光るライン（ライン状の発光体又は反射体）。 
【発明の詳細な説明】
【技術分野】
【０００１】
この発明は、自動車に関するものであり、自動車の側面に光るライン（ライン状の発光体又は反射体）を設ける事によって夜間等自動車の認知を遠方から容易に行うことが出来るようにしたものである。 
【背景技術】
【０００２】
従来の自動車形状は、図２に示すように、自動車の側面に夜間、認知を助ける発光体又は反射体が設けられていないものである。 
【発明の開示】
【発明が解決しようとする課題】
【０００３】
しかしながら、光るラインを設けた自動車であれば、夜間どの様な体勢に駐停車していても認知が容易である、特に狭いＴの字や十字路の交差点で、左方向から交差点内に進入し又は居残って停車している左折車や直進車は自車からヘッドライトもテ−ルライトも見えずらく方向指示器も見えないため遠方から認知できず回避動作が遅れた為に事故につながることが多かった。 
そこで、この発明は、夜間等どの様な体勢に駐停車していても遠方から認知が容易に出来る自動車を提供することを課題とする。 
【課題を解決するための手段】
【０００４】
以上の課題を解決するために、請求項１の発明は、自動車の側面にボディ−ラインに合わせてライン状の発光体又は反射体を設けることを特徴とする自動車である。 
また、請求項２の発明は、従来の自動車に請求項１の自動車と同様な形状にし同様な働きを持たせるため、後から取り付けることを特徴とする光るラインそのものの部品である。 
【発明の効果】
【０００５】
この発明によれば、夜間路上等や交差点等で如何なる体勢で駐停車している自動車があっても、遠方からの認知が容易であり、ゆとりを持って回避する事が出来るため事故を未然に防ぐことが出来る。 
【発明を実施するための最良の形態】
【０００６】
この発明の一実施形態を、図１に示す。 
１は自動車の本体であり、この本体１の側面にライン状の発光体又は反射体で作製されている光るライン２が設けられている。 
【０００７】
「実施形態の効果」 
この実施形態によれば、見通しの良くない交差点等において、自動車のどの部分が交差点内に進入し又は居残っていても、遠方より容易に認知でき回避動作が取れる。 
【０００８】
「他の実施形態」 
図１の実施形態では、自動車の側面に光るラインが設けてあったが、他の実施形態では、自動車の側面から背面まで設けたものでも良いし、自動車の周囲に設けても良い、又自動車の側面から背面等に図柄等の様に設けても良い。 
【産業上の利用可能性】
【０００９】
この発明に係る自動車と光るラインは、工業的に量産する事が可能であるため、産業上の利用可能性を有する。 
【図面の簡単な説明】
【００１０】
【図１】この発明の一実施形態を示す斜視図である。
【図２】従来の自動車を示す斜視図である。
【符号の説明】
【００１１】
１  自動車本体            ２  光るライン 
【図１】
2006264598.tif 000003
【図２】
2006264598.tif 000004
(57)【要約】【課題】車の後部座席で利用する開閉式ミニテーブルを提供する。【解決手段】テーブルの背板から蝶番を介して半開きになるテーブルで、テーブル背板の上部にフックを設け、テーブル背板の内側に折りたたみ式の環状のドリンクホルダーを設ける。テーブルの背板に鏡と小物入れを設ける。テーブルの背板の両側とテーブルの両側は対向するバンド状のテーブル支えで連結する。テーブルはテーブル背板にほぼ直角に開いて、テーブルにドリンクや物を置いて使用する。  以上よりなる後部座席用開閉式ミニテーブル。【選択図】図１
2006264658.tif 000002
【特許請求の範囲】
【請求項１】
テーブルの背板から蝶番を弁して半開きになるテーブルにおいて、テーブル背板の上部にフックを設け、テーブル背板の内側に折りたたみ式の環状のドリンクホルダーを設け、テーブルの背板の両側とテーブルの両側は対向するバンド状のテーブル支えで連結し、テーブルはテーブル背板にほぼ直角に開いて、テーブルにドリンクや物を置いて使用する。
以上よりなる後部座席用開閉式ミニテーブル。
【発明の詳細な説明】
【技術分野】
【０００１】  本発明は、車の後部座席用のミニテーブルに関するものである。
【背景技術】
【０００２】  従来、飛行機やバスにはすでに座席背面に取り付けられた、座席用のテーブルがあった。また、窓にかけて使用するドリンクホルダーもあった。
【発明の開示】
【発明が解決しようとする課題】
【０００３】  そのために、次のような問題点があった。
（イ）窓にかけるドリンクホルダーは、窓の開閉によって取れて落ちることがあった。
（ロ）飲食は膝のうえでとるため服を汚すことがあった。
（ハ）長距離のドライブは子供が退屈していた。
【課題を解決するための手段】
【０００４】  テーブルの背板から蝶番を弁して半開きになるテーブルで、テーブル背板の上部にフックを設け、テーブル背板の内側に折りたたみ式の環状のドリンクホルダーを設ける。テーブルの背板に鏡と小物入れを設ける。テーブルの背板の両側とテーブルの両側は対向するバンド状のテーブル支えで連結する。テーブルはテーブル背板にほぼ直角に開いて、テーブルにドリンクや物を置いて使用する。
以上よりなる後部座席用開閉式ミニテーブル。
【発明の効果】
【０００５】（イ）ドリンクホルダーは折りたたみ式なので場所もとらず、取れて落ちない。
（ロ）飲食もテーブルがあるので服を汚さない。
（ハ）テーブル上でトランプやミニゲームができる。
【発明を実施するための最良の形態】
【０００６】  以下、本発明の実施の形態について説明する。
（イ）テーブル（８）は、蝶番（１０）を弁してテーブル背板（９）に半開き自在となる。
（ロ）テーブルの背板（９）の上部にフック（１）を設ける。
（ハ）テーブルの背板（９）の内側に環状のドリンクホルダー（３）を設け、利用しない場合にホルダーを折りたたんで収納するホルダー止め（２）を設ける。
（ニ）テーブルの背板（９）に鏡（４）と、小物入れ（５）を設ける。
（ホ）テーブルの背板（９）とテーブル（８）を支える、軟質樹脂材又は布材からなるバンド状のテーブルの支え（６）を設ける。
（ヘ）テーブル（８）の縁に開閉用ボタン（７）を設ける。
本発明は以上のような構造で、テーブルの開閉用ボタン（７）を開くと、テーブルが背板に対して直角に開いて、そのテーブルにドリンクや物を置いて使用できる。このときバンドで直角に開いた状態を保持できる。またテーブルを使わないときは背板にテーブルをたたんでおくので邪魔にならない。
【図面の簡単な説明】
【０００７】
【図１】本発明の斜視図
【図２】本発明を閉じた状態の斜視図
【符号の説明】
【０００８】  １  フック
２  ホルダー止め
３  ドリンクホルダー
４  鏡
５  小物入れ
６  テーブルの支え
７  開閉用ボタン
８  テーブル
９  テーブルの背板
１０  蝶番
【図１】
2006264658.tif 000003
【図２】
2006264658.tif 000004
(57)【要約】      （修正有）【課題】従来の自転車は片足の降ろす力によりペダルを回転させ推進していたが、片足だけでは力が弱く、疲労がたまりやすいので、自転車を両足の押す力により、チェーンを回転させ推進させる。【解決手段】自転車のペダルを両足ペダル押し型に変え、図２のようにラセン状シャフトを回転させ、歯車１、２、３、の連携により、チェーン受歯車を回転させ、進行させるようにした。【選択図】図２
2006264659.tif 000002
【特許請求の範囲】
【請求項１】
自転車の推進方法について、従来の片足による、ペダル回転に変わり、両足でペダルを押す事により、チェーンを回転させ推進する自転車である。
【発明の詳細な説明】
【技術分野】
【０００１】この発明は、自転車を両足の押す力により、チェーンを回転させ推進するものである。
（両足の押す力）
【背景技術】
【０００２】従来の自転車は片足の降ろす力によるペダル回転による推進だった。
（片足の降ろす力）
【発明の開示】
【発明が解決しようとする課題】
【０００３】本発明は、自転車を片足だけの力により推進する従来方法では、坂道になると片足だけの力では不足であり、足に疲労がたまる原因になっていた、それを解決しようとするものである。
【課題を解決するための手段】
【０００４】坂道で片足の疲労をためない為に、片足だけでペダルをこぐ方法でなく、両足でペダルを押し、シャフトを回転させ、歯車２個により、回転方向を変換し、チェーン歯車を回転させ推進する自転車である。
【発明の効果】
【０００５】本発明を使用することによって、従来、片足の降ろす力で推進されてきた自転車を、両足の押す力によって、推進出来るようになり、足の負担が著しく軽減される。
又、片足のみの力から、両足の合成力になる為、少しぐらいの坂道は、ギヤチェンジする事なく、自転車を進める事が出来るようになった。又、足の筋力の鍛錬の効果もある。
【発明を実施するための最良の形態】
【０００６】以下、本発明の実態の形態について説明する。
従来の自転車はペダルを回転する事により、チェーン駆動により推進していました。基本的に片足の降ろす力だけでペダルを回転していたが、本発明の自転車は両足の押す力により、シャフトを回転させ、シャフト取付けの歯車と受歯車によりチェーン受け歯車を回転させ、進行する自転車である。
【図面の簡単な説明】
【０００７】
【図１】  本発明の全体率面図
【図２】  本発明のペダル部断面図
【図３】  本発明の歯車１、歯車２、チェーン受歯車３の断面図
【符号の説明】
【０００８】  １  シャフト取付歯車
２  シャフト取付歯車を受ける歯車
３  チェーン受歯車
【図１】
2006264659.tif 000003
【図２】
2006264659.tif 000004
【図３】
2006264659.tif 000005
(57)【要約】【課題】自転車の最大の弱点は登坂や向い風の際、踏力による推進力が落ち、体は著しく消耗する。それを解消するために従来のハンガー軸を改め、ドラムハンガー（円板ハンガー）にし、それと連動しているチェーンホイールと共に大きな円運動の回転力で推進力の増加をはかり体力の消耗を軽減する自転車を提供する。【解決手段】ドラムハンガー（円板ハンガー）を格納するためにボトムブラケット部分のフレームを大きく拡張する。格納されたドラムハンガーとチェーンホイールをジョイントアームで連動する。そのドラムハンガーとチェーンホイールは外周に取り付けた左右のクランクアームで大きい円運動となり、踏力によって回転力が増加し強い推進力になる。その力強い推進力で体力の負担を大幅に軽減される。【選択図】図１
2006264655.tif 000002
【特許請求の範囲】
【請求項１】
従来のハンガー軸を改めドラムハンガー（円板ハンガー）にする。
【請求項２】
ドラムハンガーを収納できる拡大ボトムフレームにする。
【請求項３】
ドラムハンガーとチェーンホイール（ギア板）を同じ大きさ（同一周囲）にする。
【請求項４】
ドラムハンガーとチェーンホイールをジョイントアームで直結する。
【請求項５】
左クランクアームは左側ドラムハンガーの外周に近い位置で固定する。右クランクアームは右側チェーンホイールの外周に近い（左クランクアームの相反する位置）に固定する。
【発明の詳細な説明】
【発明の詳細な説明】
【技術分野】
【０００１】本発明は、従来の自転車を動力の伝達方法を変えることで、回転力を強力にし推進力を高めると共に、体力負担の軽減を計るための装置、いわゆる自転車の駆動パーツの中心である心臓部のチェーンホイールを、ドラムハンガーによって回転力を強化する技術である。
【背景技術】
【０００２】従来の自転車の駆動は、踏力により左右クランクの回転で得た力を、ボトムブラケットの極めて細いハンガー軸を通してチェーンホイールに伝達している。
【発明が解決しようとする課題】
【０００３】従来の自転車の問題点は、緩やかな登坂でさえスピードが落ち体力が消耗し負担が大きい。踏力をペダルに受け、クランクアームでハンガー軸の細い軸で受けている。つまり、小径の軸の回転を通して、大径で大円のチェーンホイールに動力を伝達している為に体力の負担となり推進力も落ちる。それはあたかも石臼を回す時に、石臼の中心の軸を懸命に力をそそいで回転させているのと等しく、回転に大きな力が必要になり、体力を消耗することと同じである。
【課題を解決するための手段】
【０００４】従って細いハンガー軸を取りやめこの度の発明の大きな第１ポイント〜第５ポイントを下記のようにする。
第１ポイント  円周の大きい大径のドラムハンガー（円板ハンガー）にする。
第２ポイント  ドラムハンガーを収納する拡大ボトムフレームにする。
第３ポイント  ドラムハンガーとチェーンホイールの周囲を同一にする。
第４ポイント  ドラムハンガーとチェーンイホールをジョイントアームで連結して固定する。
第５ポイント  左クランクはドラムハンガーの外周に近い位置に固定し、右クランクはチェーンホイールの外周に近い位置に固定（但しドラムハンガーのクランクに対し相反する位置にする。）
【発明を実施するための最良の形態】
【０００５】本発明は、従来のボトムブラケットとハンガー軸との関係を改め、ボトムブラケットの部分を大きく拡張してドラムハンガー（円板ハンガー）を収納できる大きな円の１ボトムフレームにする。
１ボトムフレームに６ドラムハンガー（円板ハンガー）を入れ、２ダクトシール  ５ａ・５ｂ左右ベアリング  ４ａ・４ｂ左右のシーリング  ３ａ・３ｂ左右のワンの順番で格納し固定する。【０００６】上記ドラムハンガーとチェーンホイールの取り付けは、双方とも外周に近い所４ヶ所に設けてあるジョイントホールに４本の８ジョイントアームで連結し固定する。【０００７】左クランクはドラムハンガーの左側、その外周の一点にジョイントし、右クランクはチェーンホイール外周の一点にジョイント（左クランクの相反する１点）に取り付ける。
【発明の効果】
【０００８】本発明は以上説明したような形態で実施され、以下の記載された様な効果を発揮する。
【０００９】左右のクランクは同時に踏込まれた踏力で、同じ円周で直結しているドラムハンガーとチェーンホイールの外周に力が加わり梃子の原理で従来の細いハンガー軸での回転力よりはるかに強力な回転力が得られる。
【００１０】回転伝動の変換で回転力が増強することは、すなわち、人間では心臓部、自動車ではエンジン部が強化され推進力が高まった事になる。この推進力が自転車のもっとも弱点である登坂や向い風にこの発明が発揮され、体力の負担軽減にも大きく貢献する。
【００１１】従来はアウトギア、インナーギアをチェンジレバー（シフトレバー）で自転車の弱点を少なからずカバーしているが、回転数を上げると踏込みが多く必要とし、回転数を下げると踏込みが重くなり、チェンジギアがあれども体力の消耗がかなり激しい。つまりこの駆動は、左クランクでドラムハンガーの外周を大きな円を描く円運動、右クランクはチェーンホイールの外周を大きく円を描く円運動をする。この大きな円運動が強力な回転力となり推進力となる。また、左右のドラムハンガーとチェーンホイールがアームでジョイントして連動しているので、左右両側で足漕される両クランクの回転力は、相乗効果によりさらに増加され円滑に起動をすることができる。
【００１２】但し、この発明装置に従来の変速装置であるアウトギア、インナーギアそしてチェンジレバーを併用されることは可能で、その変速装置を併用することでさらに優れた自転車となり得る。
【図面の簡単な説明】
【００１３】
【図１】足漕ぎ装置の断面図である
【図２】足漕ぎ装置のドラムハンガー（円板ハンガー）とチェーンホイールの斜視図である
【図３】足漕ぎ装置の分解斜視図である
【図４】足漕ぎ装置の部分断面図である
【図１】
2006264655.tif 000003
【図２】
2006264655.tif 000004
【図３】
2006264655.tif 000005
【図４】
2006264655.tif 000006
(57)【要約】      （修正有）【課題】車掎子、乳母車、手押し車、自転車、乳母車などが夜間や暗い所でも車両などに早く存在を示し、事故を防止することが目的の接近してくる車両のライトの光を反射し識別しやすくするための安全棒を提供すること。【解決手段】本体部５に設けられたゼンマイ３（弾性部材）の端に弾性部材２を設け、弾性部材２の先端に反射部材１設け、車椅子、乳母車、手押し車、自転車、三輪車などの車体部の適所にそれぞれに合った取付部材で取り付ける構成とする。【選択図】図２
2006264661.tif 000002
【特許請求の範囲】
【請求項１】
本体部に設けられた弾性部材の先端に反射部材を設け伸縮の状態を固定するストッパー部材を本体部に設け取付部材により、車体部に装着する構成を特徴とする安全棒。
【請求項２】
前記本体部に設けられたゼンマイ（弾性部材）の端に設置された弾性部材の先端に反射部材を設け、弾性部材が引き出された状態を固定するストッパー部材を本体部に設け、車椅子、乳母車、手押し車、自転車、三輪車の車体部に、本体部に設けられた取付部材によって取り付ける構成を特徴とする請求項１記載の安全棒。
【請求項３】
前記反射部材に、鈴や鐘を設けたことを特徴とする請求項２記載の安全棒。
【発明の詳細な説明】
【技術分野】
【０００１】  本発明は、車椅子、乳母車、手押し車、自転車、三輪車などに取り付け夜間や暗い所でも反射部材により、接近してくる車両のライトの光りを反射し識別しやすくする為の安全棒に関するものである。
（背景技術）【０００２】  従来、自転車などが夜間や暗い所でライトを点灯し、または反射材などを使って事故防止を行っていた。
（発明の開示）
（発明が解決しようとする課題）【０００３】  自転車が夜間や暗い所の見通しの悪い交差点や路地などでは、ライト点灯や反射部材を使用しても横からきた車両などへは存在を示すのが遅くなり、車椅子、乳母車、などでは付き添い人が操縦しているとき、その人が左右の確認をするときには車椅子や乳母車などの車体が前方へ出ているため事故が起こりやすくなっていた。そこで本発明は事故を防止することを課題とする。
（課題を解決するための手段）【０００４】  以上の課題を解決するために夜間や暗い所の見通しの悪い交差点や路地などで車椅子、乳母車、手押し車、自転車、三輪車などの存在を接近してくる車両へ早く示すように前方へ伸びた弾性部材の先端に反射部材を設けた本発明を車体部に取り付け事故防止しようと考えた。
（発明の効果）【０００５】  本発明は、以上のような構成であるので、夜間や暗い所で、前方へ出た反射部材（１）によって、接近してくる車両などに早く存在を示すことができ見通しの悪い交差点や路地などで事故を防止することができる。反射部材（１）を支える弾性部材（２）により、外部と接触した場合、外部を傷つけずまた、本発明が破損することを防ぐことができ、使用しない場合は前方へ出た部分を縮めることができるので邪魔にならない。
（発明を実施のための最良の形態）【０００６】  ゼンマイ（弾性部材）（３）に弾性部材（２）を設置し、弾性部材（２）の先端に反射部材（１）を設け、引っ張り出すとストッパー部（４）の押しバネ（４ａ）に押された滑り止め（４ｂ）によって固定される。
ストッパー部（４）を解除すればゼンマイ（弾性部材）（３）の巻き戻り力により本体（５）に納まる。【０００７】  弾性部材（２）を引き出し、使用していて外部と接触したとしてもても弾性部材であるので外部を傷付けたり本発明が破損することを防止することができる。【０００８】  反射部材の形状は球状に限らず旗状のものなど安全性が高ければ普及性のあるデザインでもよい。また鈴や鐘などの音がするものを使うことにより、聴覚的にも周りの歩行者などへ存在を示すこともできる。【０００９】  車椅子の場合（図５）のようにステップのパイプに本体を挿入し取り付けることもできる。（図６）は取付部材（６）によって車掎子のステップ近くのパイプに外付けした図でありボルト（６ｂ）とナット（６ｃ）でパイプに固定する。滑り止め（６ａ）により本発明がずれるのを防止し乳母車、手押し車などへも応用できる。取付部材は取り付け場所によって、この形状でなくてもよい。
【図面の簡単な説明】（図１）
本発明の斜視図である。
（図２）
本発明の断面図である。
（図３）
本発明に取付部材（６）を取り付けた平面図である。
（図４）
取り付け部（６）の側面図である。
（図５）
本発明を車椅子のステップのパイプに挿入、取り付けした図である。
（図６）
本発明を車椅子のステップのパイプに取付部材（６）で外付けした図である。
【符号の説明】
１    反射部材
２    弾性部材
３    ゼンマイ（弾性部材）
４    ストッパー
４ａ  押しバネ
４ｂ  滑り止め
５    本体部
６    取付部材
６ａ  滑り止め
６ｂ  ボルト
６ｃ  ナット
【図１】
2006264661.tif 000003
【図２】
2006264661.tif 000004
【図３】
2006264661.tif 000005
【図４】
2006264661.tif 000006
【図５】
2006264661.tif 000007
【図６】
2006264661.tif 000008
(57)【要約】【課題】新聞購読者がポストに古新聞及びチラシ広告を入れることで、新聞配達員が配達時に既に配達済みであると勘違いしてしまう恐れがある。古新聞及びチラシ広告のリサイクルがスムーズに行われることについての重要なポイントであり、この部分がスムーズに行えないとリサイクルが促進されにくくなる。【解決手段】新聞購読者と新聞販売店との間で古新聞は真ん中から逆折してポストへ入れるなどのルールを決めておく、事前に充分ＰＲすることで間違いを防止する。【選択図】  図１
2006264954.tif 000002
【特許請求の範囲】
【請求項１】
家庭に配達されている古新聞及びチラシ広告を新聞購読客・新聞販売店・製紙会社・行政と連携し、効率よくリサイクルを行うためのシステム。
【発明の詳細な説明】
【技術分野】
【０００１】
本発明は家庭に配達されている新聞及びチラシ広告をタイムリーに効率よく回収し、リサイクルを行うシステムに関するものである。
【背景技術】
【０００２】
従来、古新聞及びチラシ広告は週２回程度ゴミとして出すか、月１回程度、回収業者などが引き取りに来ている。
【０００３】
資源の有効利用ということで以前からリサイクルについての関心は高まっているものの、リサイクルに至るまでの過程において、新聞購読者が引き取りまでの間、一旦保管するなどの制限があり、その結果、ゴミとして出されることが多い。
【発明の開示】
【発明が解決しようとする課題】
【０００４】
ゴミとして出された場合、焼却処理されることになり、資源の有効利用ができず、焼却処理やゴミ回収作業の負担が増えることになる。
【０００５】
新聞購読者が古新聞及びチラシ広告をリサイクルとして出すよりもゴミとして出した方が容易であるのでゴミとして出している人が多い。
【０００６】
本発明は、古新聞及びチラシ広告をリサイクルし易く、そしてリサイクルされるまでに関わるすべての人にメリットがあるように工夫したものである
【課題を解決するための手段】
【０００７】
新聞購読者は不要となった古新聞及びチラシ広告を新聞配達用のポストに入れておき、新聞販売店が配達時に古新聞をポストから回収し、当日分の新聞紙をポストに入れる。回収した古新聞及びチラシ広告は新聞販売店から仲介者を経由し、製紙会社でリサイクルされる。
【０００８】
その際、新聞販売店と製紙会社との仲介者は、製紙会社から古紙代金を受け取り、新聞販売店に手数料を支払う。行政側からはゴミ回収作業及び焼却処理のコストダウン分の中から補助金を受け取るなどしてビジネスとして成り立つ仕組みとする。
【発明の効果】
【０００９】
従来、ゴミとして出されることが多い古新聞及びチラシ広告を新聞購読者の手間を省くことでリサイクルされ易くなり、結果、資源を有効利用することになり、環境保護に貢献できる。しかも、新聞購読者だけでなく関わるすべての人に次のようなメリットがある。
新聞購読者は、日々ゴミとなるものがタイムリーに処分できる。
新聞販売店は、日常の作業に抜き取り回収作業を付け加えることで手数料を得られる。行きと帰りでの荷物の量は大きくは変わらないから配達車両変更などの投資も不要である。製紙会社は、古紙の安定確保ができ、環境保護に貢献することでイメージアップにもつながる。行政は、ゴミ回収作業費と焼却処理費の削減ができる。
また、行政側からゴミ回収作業及び焼却処理のコストダウン分の中から補助金を受け取るなどしてビジネスとして成り立たせることで新聞販売店、仲介者、製紙会社のそれぞれの立場で運営ができる状態になる。
【発明を実施するための最良の形態】
【００１０】
複数の新聞販売店と契約し、製紙会社との仲介を行う。
【００１１】
ビジネスとして運営できるよう、行政と連携し、ゴミ回収作業及び焼却処理のコストダウン分の中から補助金を受け取る。
【実施例】
【００１２】
日本全国で水平展開できることである。実施することになれば莫大なゴミが資源として有効利用できる。
【図面の簡単な説明】
【００１３】
【図１】本発明の全体の概略図である。
【符号の説明】
【００１４】
１  直線  ものの流れ
２  点線  お金の流れ
【図１】
2006264954.tif 000003
(57)【要約】【目的】本発明は原反ロ−ルの枠変え時の通紙をする場合において紙幅が広くなった場合でも容易に初期の通紙ができる原反ロ−ルの枠変え時の通紙方法の提供を目的とする。【構成】本発明の原反ロ−ルの枠変え時の通紙方法は紙端をガイドロ−ラ−と送りベルトで挾持して初期の通紙をするため紙幅が広くなった場合でもひとりで容易に初期の通紙ができる。【選択図】      図１
2006264974.tif 000002
【特許請求の範囲】
【請求項１】
上下に揺動可能なガイドユニットに設けられたロ−ラ−と送りベルトで紙端を挾持して初期の通紙をする原反ロ−ルの枠変え時の通紙方法
【請求項２】
送りベルトを複数のベルトにした請求項１の原反ロ−ルの枠変え時の通紙方法
【発明の詳細な説明】
【発明の詳細な説明】
【技術分野】
【０００１】本発明は原反ロ−ルの枠変え時に初期の通紙をする原反ロ−ルの枠変え時の通紙方法に関するものである。
【背景技術】
【０００２】従来において原反ロ−ルの枠変え時の通紙は紙幅が広くなった場合において紙張りにムラが発生する等により手間がかかっていた。
このため複数の人手が必要であった。
【発明が解決しようとする課題】
【０００３】本発明は以上の従来の課題を解決し原反ロ−ルの枠変え時の通紙をする場合において紙幅が広くなった場合でもひとりで容易に初期の通紙ができる原反ロ−ルの枠変え時の通紙方法の提供を目的とする。
【課題を解決するための手段】
【０００４】本発明は以上の目的達成のために、
上下に揺動可能なガイドユニットに設けられたロ−ラ−と送りベルトで紙端を挾持して初期の通紙をする原反ロ−ルの枠変え時の通紙方法等
を提案するものである。
【発明の効果】
【０００５】本発明の原反ロ−ルの枠変え時の通紙方法の実施例は以上の通りでありその効果を次に列記する。
（１）本発明の原反ロ−ルの枠変え時の通紙方法は特許請求の範囲に記載した構成であり、特に紙端をロ−ラ−と送りベルトで挾持して初期の通紙をするため紙幅が広くなった場合でもひとりで容易に初期の通紙ができる。
（２）本発明の原反ロ−ルの枠変え時の通紙方法は特に送りベルトを複数のベルトにした場合には紙端が左右にずれたとしても送りベルトの駆動力でその送りずれが自動調整される。
【発明を実施するための最良の形態】
【０００６】以下本発明の原反ロ−ルの枠変え時の通紙方法を図面に示す実施例に従い説明する。
図１は原反ロ−ルの枠変え時の通紙方法を示し、該通紙方法はドラム（２）によって送られ該ドラム（２）から出た紙端（１）を通紙するものである。
ドラム（２）の上方にはガイドユニット（３）が軸（３ａ）で揺動可能に設けられる。
該ガイドユニット（３）にはロ−ラ−（６）と送りベルト（５）が紙端（１）を挾持して送り可能に設けられる。
前記ロ−ラ−（６）はモ−タ−により回動可能にされる。
次に送りベルト（５）はシリンダ−（４）によりロ−ラ−（６）方向に進退可能にされ、退いた位置においてロ−ラ−（６）との間に隙間が確保される一方進んだ位置において紙端（１）を挾持するものである。
次にシリンダ−（７）は軸（３ａ）を中心にガイドユニット（３）を上下に揺動させるものである。【０００７】以上の実施例に示した本発明の原反ロ−ルの枠変え時の通紙方法の作用を次に説明する。
まず図１の状態はガイドユニット（３）がシリンダ−（７）により下方に揺動された状態である。
また送りベルト（５）はシリンダ−（４）によりロ−ラ−（６）から退いた状態でありロ−ラ−（６）との間に隙間が確保されている。
この状態でドラム（２）が駆動されドラム（２）から出た紙端（１）が上方に送られるが、その際に作業者が紙端（１）を手作業にて図２に示す様にロ−ラ−（６）と送りベルト（５）の間の隙間を通す。
次にシリンダ−（４）が駆動され図３に示す様に紙端（１）はロ−ラ−（６）と送りベルト（５）の間に挾持される。
送りベルト（５）がモ−タ−により回動され紙端（１）はロ−ラ−（６）と送りベルト（５）により挾持され送られる。
ここで送りベルト（５）を紙の横幅方向に複数のベルトで構成した場合には紙端（１）が左右にずれたとしても送りベルト（５）の駆動力でシ−トの全幅を引っ張り送り出すと共に適度のスリップ作用のためにその送りずれが自動調整される。
次に紙端（１）が十分送られて紙の不良部分が送り終われば図４に示す様にカッタ−（９）が駆動される（切られた部分は送られてしまう）。
次に図５に示す様にコア（８）がドラム（２）上にセット（自動セット装置は図示せず）されて紙が該コア（８）に初期セット（テ−プ等で付着セット）される。
またガイドユニット（３）はシリンダ−（７）により上方に揺動されてコア（８）に紙が巻き取られていき紙ロ−ルが大きくなっても邪魔にならない位置に退避した状態である。
また送りベルト（５）はシリンダ−（４）によりロ−ラ−（６）から退いた状態にある。
【図面の簡単な説明】
【０００８】
【図１】本発明の枠変え時の通紙方法の概念図
【図２】同上作動を示す概念図
【図３】同上作動を示す概念図
【図４】同上作動を示す概念図
【図５】同上作動を示す概念図
【符号の説明】
【０００９】１  紙端
２  ドラム
３  ガイドユニット
３ａ  軸
４  シリンダ−
５  送りベルト
６  ロ−ラ−
７  シリンダ−
７ａ  軸
８  コア
９  カッタ−
【図１】
2006264974.tif 000003
【図２】
2006264974.tif 000004
【図３】
2006264974.tif 000005
【図４】
2006264974.tif 000006
【図５】
2006264974.tif 000007
(57)【要約】【課題】  ごみが入りやすいように背面部分を高くしたごみ箱を提供する。【解決手段】  ごみ箱の背面部を高くし、その部分に目じるしとなるまとをつけたごみ箱。【選択図】  図１
2006264972.tif 000002
【特許請求の範囲】
【請求項１】
ごみ箱の背面部分を高く形成した反射部とし、離れた位置からでも、ごみを入りやすくした特徴のまと付ごみ箱。
【請求項２】
反射部前面に任意のまと表記を設けたことを特徴とする請求項１記載のまと付きごみ箱。
【請求項３】
反射部がごみ箱中心線方向に湾曲した形状となったものであることを特徴とする請求項１又は２記載のまと付きごみ箱。
【発明の詳細な説明】
【技術分野】
【０００１】本発明は、ごみ箱にごみが入りやすいように背面部分を高くしたごみ箱に関する。
【背景技術】
【０００２】  従来のごみ箱はごみ投げ捨ての開口部を形成する上辺が同じ高さのものであった。他に長方形で背面から前面にかけ、左右の上辺が傾斜しているものはあったが幅が狭く、ごみが入りにくかった。
【発明の開示】
【発明が解決しようとした課題】
【０００３】そのために次のような問題点があった。
離れたところからごみ箱に目がけてごみを投げ捨てると、ごみ箱に入らないことが多く、二度手間が、かかっていた。
本発明は以上の問題点を解決しようというものである。
【課題を解決するための手段】
【０００４】（イ）略円柱状のごみ箱の背面部を高くして反射部とした。
（ロ）反射部の前面の最もごみ箱内に反射する確立が高い位置に目じるしを付けた。
以上の構成よりなるまと付きごみ箱である。
【発明の効果】
【０００５】  離れた位置からでも、ごみが入りやすくなった。また、ごみ箱に目じるしを設けることで入りやすくなった。更に、湾曲の形状がごみを中心方向に反射させる効果がある。
【発明を実施するための形態】
【０００６】以下、本発明の実施の形態について説明する。
本発明は円筒形状のごみ箱本体（１）の背面部を延長させて、反射板（２）を形成させたものである。
本図の事例において反射板（２）は、開口部の周縁半分が立ち上がり、背面中央に頂点がくるように湾曲形成されてある。
また、上部から見た場合には、反射板（２）がごみ箱本体（１）の中心線方向に湾曲した形状となっており、反射板（２）の前面にまと（３）となる絵が描かれている。図（１）においては、花の絵となっているが、これに限定されることはなく、各種の絵が記載されている。また、まとの高さ位置としては、ごみ箱開口部の高さ位置よりやや上部から反射板（２）中央の間であることが望ましい。
本発明は以上の構成よりなる。
本発明を使用するときは反射板（２）のまと（３）をめがけてごみを投げ捨てる。
【図面の簡単な説明】
【０００７】
【図１】  本発明の斜視図
【図２】  本発明の正面図
【符号の説明】
【０００８】  １    ごみ箱本体
２    反射板
３    まと
４    ふち
【図１】
2006264972.tif 000003
【図２】
2006264972.tif 000004